(57)【要約】【課題】収納した複数のカードの中からランダムにカードを選択して取り出すことが可能なランダム・カード・ホルダを提供する。【解決手段】カードＣをそれぞれ保持可能な複数のホルダ部３と、これら複数のホルダ部３を出没自在に収納支持するケース５と、複数のホルダ部３をそれぞれ離脱可能にケース側に係合させ、それらホルダ部３のケース５への収納状態を保持する複数の係合部材４３と、ケース５を振ることによって変位し複数の係合部材４３の少なくとも一つに対する連動位置に配置される連動片６１と、連動片６１を介して対応する係合部材４３に連動連結され、その係合部材４３に対しホルダ部３のケース５側への係合を離脱させる離脱操作をケース５外から行わせる解除操作部材４７とを備える。【選択図】  図４
2015205460.tif 000002
【特許請求の範囲】
【請求項１】
カードをそれぞれ保持可能な複数のホルダ部と、
該複数のホルダ部を出没自在に収納支持するケースと、
前記複数のホルダ部をそれぞれ離脱可能に前記ケース側に係合させ該ホルダ部の前記ケースへの収納状態を保持する複数の係合部と、
前記ケースを振ることによって変位し前記複数の係合部の少なくとも一つに対する連動位置に配置される連動片と、
前記連動片を介して対応する係合部に連動連結され、該係合部に対し前記ホルダ部のケース側への係合を離脱させる離脱操作を行わせる解除操作部材と、
を備えることを特徴とするランダム・カード・ホルダ。
【請求項２】
請求項１記載のランダム・カード・ホルダであって、
前記複数の係合部を前記ホルダ部に対する係合方向に付勢する付勢部を備え、
前記解除操作部材は、前記離脱操作に応じて前記係合部を前記付勢部の付勢力に抗して離脱方向に押圧する、
を備えることを特徴とするランダム・カード・ホルダ。
【請求項３】
請求項１又は２記載のランダム・カード・ホルダであって、
前記ケースを振ることによって回転する回転部材を備え、
前記連動片は、前記複数の係合部に対応して前記回転部材上に複数設けられ、前記回転部材の回転位置に応じて少なくとも一つが対応する係合部に対して連動位置に配置される、
ことを特徴とするランダム・カード・ホルダ。
【請求項４】
請求項３記載のランダム・カード・ホルダであって、
前記ケース内に揺動自在に支持され前記ケースを振ることによって揺動する揺動部材を備え、
前記回転部材は、前記揺動部材の揺動によって回転駆動される、
ことを特徴とするランダム・カード・ホルダ。
【請求項５】
請求項１〜４の何れか一項に記載のランダム・カード・ホルダであって、
前記ケースに対し前記複数のホルダ部を回転自在に支持して出没自在とする回転軸を備えた、
ことを特徴とするランダム・カード・ホルダ。
【請求項６】
請求項５記載のランダム・カード・ホルダであって、
前記ケースに着脱自在に取り付けられ前記回転軸を有するアタッチメントを備え、
前記複数のホルダ部は、前記回転軸を介して前記アタッチメントに支持され前記ケースに対して着脱自在なホルダ・ユニットを構成する、
ことを特徴とするランダム・カード・ホルダ。
【発明の詳細な説明】
【技術分野】
【０００１】
本発明は、収納した複数のカードの中から少なくとも一つのカードをランダムに取り出し可能とするランダム・カード・ホルダに関する。
【背景技術】
【０００２】
近年では、トレーディング・カード・ゲーム等のように、ユーザー同士がコレクションしたカードの中から任意のカードを取り出して、そのカードの持つパラメータ等によって対戦を行うカード・ゲームが人気を博している。
【０００３】
カードは、希少価値の高いものもあり、使用に際して傷等をつけないようにカード・ホルダに収納されることがある。
【０００４】
従来のカード・ホルダとしては、例えばそれぞれカードを保持することが可能な複数のホルダ部をケースに対して回転自在に支持し、ケースを開いたとき等に複数のホルダ部を扇状に展開可能としたものがある（例えば、特許文献１）。
【０００５】
このカード・ホルダでは、複数のホルダ部が扇状に展開することで、カードも同様に扇状に展開することになるから、ユーザーに目的のカードを容易に探し出して使用させることができる。
【０００６】
しかし、カード・ゲームのルール等によっては、ユーザーが目的のカードを選択するのではなく、ランダムに一枚のカードを取り出す態様も考えられるが、従来のカード・ホルダでは、そのような場合に対応することができなかった。
【先行技術文献】
【特許文献】
【０００７】
【特許文献１】特許第３０８４０１９号
【発明の開示】
【発明が解決しようとする課題】
【０００８】
解決しようとする問題点は、収納した複数のカードの中からランダムにカードを選択して取り出すことができなかった点である。
【課題を解決するための手段】
【０００９】
本発明のランダム・カード・ホルダは、収納した複数のカードの中からランダムにカードを選択して取り出すために、カードをそれぞれ保持可能な複数のホルダ部と、該複数のホルダ部を出没自在に収納支持するケースと、前記複数のホルダ部をそれぞれ離脱可能に前記ケース側に係合させ該ホルダ部の前記ケースへの収納状態を保持する複数の係合部と、前記ケースを振ることによって変位し前記複数の係合部の少なくとも一つに対する連動位置に配置される連動片と、前記連動片を介して対応する係合部に連動連結され、該係合部に対し前記ホルダ部のケース側への係合を離脱させる離脱操作を行わせる解除操作部材とを備えることを最も主な特徴とする。
【発明の効果】
【００１０】
本発明のランダム・カード・ホルダでは、ケースを振るだけで複数のホルダ部からランダムに少なくとも一つのホルダ部が選択され、その後の解除操作部材による離脱操作によって選択されたホルダ部のケース側に対する係合を離脱させることができる。
【００１１】
この結果、係合が離脱されたホルダ部をケースから突出させて、そのホルダ部に保持されているカードをケースから取り出すことが可能となる。
【００１２】
従って、ケース内に収納した複数のカードの中からランダムにカードを選択して取り出すことができる。
【図面の簡単な説明】
【００１３】
【図１】ランダム・カード・ホルダの全体構成を示す斜視図である（実施例１）。
【図２】図１のランダム・カード・ホルダの正面図である（実施例１）。
【図３】図１のランダム・カード・ホルダの側面図である（実施例１）。
【図４】図３のＩＶ−ＩＶ線に係る断面図である（実施例１）。
【図５】図２のＶ−Ｖ線に係る断面図である（実施例１）。
【図６】図３のＶＩ-ＶＩ線に係る断面図である（実施例１）。
【図７】ランダム・カード・ホルダの全体構成を示す斜視図である（実施例２）。
【図８】図７の要部拡大斜視図である（実施例２）。
【図９】図７のランダム・カード・ホルダの正面図である（実施例２）。
【図１０】図７のランダム・カード・ホルダの側面図である（実施例２）。
【図１１】図１０のＸＩ−ＸＩ線に係る断面図である（実施例２）。
【図１２】図１０のＸＩＩ−ＸＩＩ線に係る断面図である（実施例２）。
【発明を実施するための形態】
【００１４】
収納した複数のカードの中からランダムにカードを選択して取り出すという目的を、ケースに対して出没自在な複数のホルダ部をケース内に係合させて収納し、ケースを振ることで突出させるホルダ部をランダムに選択し、選択されたホルダ部をケース側から離脱させる離脱操作が可能なランダム・カード・ホルダにより実現した。
【００１５】
具体的には、突出させるホルダ部をランダムに選択して離脱させるために、複数のホルダ部をそれぞれ離脱可能にケース側に係合させ、このホルダ部のケースへの収納状態を保持する複数の係合部と、ケースを振ることによって変位して複数の係合部の少なくとも一つに対する連動位置に配置される連動片と、連動片を介して対応する係合部に連動連結され、この係合部に対してホルダ部のケース側への係合を離脱させる離脱操作を行わせる解除操作部材とを備える。
【実施例１】
【００１６】
［ランダム・カード・ホルダの構造］
図１は、ランダム・カード・ホルダの全体構成を示す斜視図、図２は、図１のランダム・カード・ホルダの正面図、図３は、図１のランダム・カード・ホルダの側面図、図４は、図３のＩＶ−ＩＶ線に係る断面図である。
【００１７】
図１〜図４のように、本実施例のランダム・カード・ホルダ１は、保持した複数のカードの中からランダムに一つを取り出すものである。このランダム・カード・ホルダ１は、複数のホルダ部３と、ケース５と、係脱機構７とで構成されている。
【００１８】
複数のホルダ部３としては、本実施例において５つのホルダ部３が設けられており、それぞれがカードＣを保持する。なお、ホルダ部３の数は、特に限定されるものではなく、適宜変更することが可能である。
【００１９】
各ホルダ部３は、樹脂等によって矩形板状に形成されており、中央部にカードＣが配置される本体部９を有している。本体部９には、幅方向（図２の左右方向）の一側を除いた外周縁に厚みを増したフレーム部１１が設けられている。
【００２０】
フレーム部１１には、本体部９上へ延設された爪部１３が設けられており、爪部１３は、本体部９上に配置されたカードＣの縁部を本体部９との間で挟む。なお、本体部９の幅方向の一側にも、爪部１３が設けられており、カードＣの幅方向への抜けを防止している。これにより、ホルダ部３は、本体部９上にカードＣを保持するようになっている。
【００２１】
なお、ホルダ部３は、カードＣを保持することができればよく、カードＣの保持形態は特に限定されるものではない。従って、爪部１３以外による保持形態を採用することも可能であり、例えばシリコン等の粘着性を有するシートを本体部９に取り付け、そのシートによってカードＣを粘着保持してもよい。
【００２２】
また、爪部１３等による保持態様では、例えばホルダ部３の全体或は本体部９を透明に形成し、本体部９を介してカードＣを視認できるように保持すること等も可能である。
【００２３】
フレーム部１１の長手方向（図２の上下方向）の一側には、後述する回転軸１５を厚み方向（図２の紙面直行方向）に挿通する軸受筒部１７が支持されている。また、フレーム部１１の長手方向の他側は、縁部が円弧状に形成されると共に後述する係合用の切欠部１９が設けられている（図４参照）。
【００２４】
これら複数のホルダ部３は、厚み方向で相互に重ね合わせた状態で、ケース５内に出没自在に収納支持される。
【００２５】
ケース５は、厚み方向においてケース部材５ａ，５ｂに分割形成されており、両ケース部材５ａ，５ｂを分割面で合わせて締結具２１により結合されている。このケース５は、ホルダ部３を収納するホルダ収納部２３及び係脱機構７を収納する機構収納部２５を備えている。
【００２６】
ホルダ収納部２３は、筒状に形成され、内部に複数のホルダ部３を収納する収納空間２７が設けられている。収納空間２７は、重ね合わされた複数のホルダ部３に対応した形状を有し、ケース５の長手方向の一側及び幅方向の一側で開放されている。
【００２７】
収納空間２７内には、各ホルダ部３の軸受筒部１７に対応して回転軸１５が固定され、この回転軸１５には、各ホルダ部３の軸受筒部１７が挿通している。これにより、複数のホルダ部３は、ケース５に対して回転自在に支持されている。この回転により、複数のホルダ部３は、収納空間２７の開放部分を介してケース５に対して出没する構成となっている。収納空間２７の底壁部３１は、ホルダ部３の長手方向の他側縁部に対応して円弧状に形成され、ホルダ部３の回転を許容する。なお、ホルダ部３は、ケース５に対して長手方向や幅方向にスライド移動することで出没する構成とすることも可能である。
【００２８】
収納空間２７内では、各ホルダ部３に対するストッパ３５が収納空間２７を区画する側壁部３３に支持されている。ストッパ３５は、クッション性を有する材質で構成され、各ホルダ部３が収納空間２７内に収納されるときに突き当たる。収納空間２７内に収納された各ホルダ部３は、係脱機構７によって、離脱可能にケース５側に係合してケース５への収納状態が保持される。
【００２９】
この係脱機構７を収納する機構収納部２５は、ホルダ収納部２３の収納空間２７の外側で、底壁部３１及び側壁部３３に沿って設けられている。本実施例の機構収納部２５は、ホルダ収納部２３の収納空間２７の底壁部３１及び側壁部３３にそれぞれ対向する底外壁部３７及び側外壁部３９を備え、それら底壁部３１と底外壁部３７との間及び側壁部３３と側外壁部３９との間で中空状の閉じ断面形状となっている。これにより、機構収納部２５は、内部に係脱機構７用の収納空間４１が区画されている。
【００３０】
機構収納部２５内に収納された係脱機構７は、複数の係合部としての係合部材４３と、切替部４５と、解除操作部材４７とで構成されている。
【００３１】
複数の係合部材４３は、それぞれ複数のホルダ部３に対応するように厚み方向に重ね合わせられている。この状態で、複数の係合部材４３は、ホルダ収納部２３の底壁部３１に対する外側に配置されている。各係合部材４３は、樹脂等によって形成されており、ホルダ収納部２３の底壁部３１に沿って延びる棒状の部材本体部４９を有する。
【００３２】
部材本体部４９の一側は、ケース５の幅方向の他側において、回転軸５１により揺動自在に支持されている。部材本体部４９の他側には、係合爪５３が設けられている。
【００３３】
係合爪５３は、部材本体部４９からホルダ収納部２３の底壁部３１を貫通して収納空間２７内に突出している。収納空間２７内に突出した係合爪５３の先端は、対応するホルダ部３の切欠部１９内に係合している。係合爪５３は、部材本体部４９の揺動に応じて、ホルダ部３の切欠部１９に対して係脱する。
【００３４】
従って、複数の係合部材４３は、複数のホルダ部３をそれぞれ離脱可能にケース５側に係合させ、それらホルダ部３のケース５への収納状態を保持する構成となっている。
【００３５】
係合部材４３の他側の端部は、ケース５の長手方向に向けて屈曲して被連動部５５を構成し、後述する切替部４５の回転部材５７を介して解除操作部材４７に対向している。
【００３６】
これら複数の係合部材４３は、それぞれ付勢部５９によって対応するホルダ部３に対する係合方向に付勢されている。
【００３７】
付勢部５９は、係合部材４３の中間部に一体に設けられた板バネであり、機構収納部２５の底外壁部３７に沿って延設されている。この付勢部５９は、係合部材４３と底外壁部３７との間に配置され、係合部材４３をホルダ収納部２３の底壁部３１に押し付けるようにしてホルダ部３に対する係合方向に付勢する。これにより、本実施例の係合部材４３は、付勢部５９の付勢力によってホルダ部３に対する係合が維持され、付勢力に抗して揺動することでホルダ部３に対する係合が離脱される。なお、付勢部５９は、係合部材４３とは別体の部材として設けることも可能である。また、付勢部材５９を省略して、係合部材４３を弾性変位させる構成とすることも可能である。
【００３８】
図５は、図２のＶ−Ｖ線に係る断面図、図６は、図３のＶＩ-ＶＩ線に係る断面図である。
【００３９】
切替部４５は、図４〜図６のように、回転部材５７と、連動片６１とで構成されている。
【００４０】
回転部材５７は、樹脂等からなる複数の板状体６３を厚み方向で重ね合わせて構成され、本実施例では、係合部材４３に応じて５つの板状体６３が重ね合わされている。ただし、回転部材５７は、厚み方向に延設された単一の円柱状等とすることも可能である。
【００４１】
回転部材５７は、軸心部を通る回転軸６５に固定されており、回転軸６５を介してハウジング６７に回転自在に支持されている。ハウジング６７は、機構収納部２５の収納空間４１内において、側壁部３３及び側外壁部３９とに摺接して、スライド移動可能となっている。この回転部材５７は、ケース５を振ることによって回転するようになっている。
【００４２】
具体的には、回転軸６５の一端がハウジング６７を貫通し、ハウジング６７外において回転軸６５の一端に従動ギヤ６９が固定されている。従って、従動ギヤ６９は、その回転によって、回転軸６５を介して回転部材５７を一体的に回転させる。従動ギヤ６９には、揺動部材７１の駆動ギヤ７３が噛み合っている。
【００４３】
揺動部材７１は、樹脂等で形成されて、ケース５の幅方向に沿って延設されている（図６参照）。揺動部材７１の一端は、ケース５に対して回転軸７５により回転自在に支持され、他端は、回転部材５７の従動ギヤ６９に噛み合う駆動ギヤ７３となっている。揺動部材７１は、回転部材５７等よりも相対的に重くなっており、ケース５を振ることで揺動して駆動ギヤ７３が回転部材５７の従動ギヤ６９を連動させる。これにより、回転部材５７は、回転駆動されるようになっている。なお、揺動部材７１を省略してもよい。この場合は、例えば、回転部材５７を偏心しておくこと等で、ケース５の振りに応じて回転させることができる。
【００４４】
複数の連動片６１は、回転部材５７上において、複数の係合部材４３に対応して設けられている。本実施例では、各連動片６１が回転部材５７の各板状体６３から径方向に突出する突起によって構成されている。
【００４５】
これら複数の連動片６１は、回転部材５７の周方向で順次位置ずれして配置されている。従って、複数の連動片６１は、ケース５が振られると、回転部材５７の回転に応じて変位し、回転部材５７の回転位置に応じて一つが対応する係合部材４３に対する連動位置に配置される。本実施例の連動位置は、係合部材４３のホルダ部３に対する係合の離脱方向で、連動片６１が対応する係合部材４３の被連動部５５に対向する位置である。
【００４６】
こうして複数の連動片６１は、ランダムにカードＣを取り出すために、何れか一つが対応する係合部材４３の連動位置に配置される。この状態で、解除操作部材４７が操作されると、連動片６１が連動位置にある係合部材４３を対応するホルダ部３から離脱させて、カードＣの取り出しを可能とする。
【００４７】
なお、カードＣの取り出し数は、例えばカード・ゲームのルール等によっては二つ以上とする場合もあり、複数の連動片６１は、これに応じて二つ以上が連動位置に配置される場合もある。このため、複数の連動片６１は、少なくとも一つが係合部材４３に対する連動位置に配置される構成となる。連動片６１は、回転部材５７に設ける構成に限られない。例えば、単一の連動片を複数の係合部材４３に対してスライド自在に支持しておく構成でもよい。
【００４８】
解除操作部材４７は、樹脂等で形成された棒状体であり、上述の離脱方向に沿って延びる（図４参照）。解除操作部材４７は、ケース５側の穴部７７及び７９を挿して、軸方向（離脱方向）に移動自在に支持されている。この軸方向移動は、ハウジング６７が機構収納部２５の収納空間４１内をスライド移動によって案内される。
【００４９】
解除操作部材４７の一端は、穴部７７を介してケース５外に配置された解除ボタン８１となっている。この解除ボタン８１により、解除操作部材４７は、ケース５に対して離脱方向に押し込み操作可能となっている。解除操作部材４７の他端は、回転部材５７のハウジング６７に一体に結合されている。
【００５０】
従って、解除操作部材４７は、その押し込み操作によって、全体として離脱方向に移動し、ハウジング６７を介して回転部材５７を係合部材４３側に押し込み移動させる。この移動により、回転部材５７は、連動位置にある連動片６１の何れか一つが対応する係合部材４３を離脱方向に押圧し、対応するホルダ部３の係合を離脱させる。
【００５１】
従って、解除操作部材４７は、連動片６１を介して対応する係合部材４３に連動連結され、係合部材４３に対しホルダ部３のケース５側への係合を離脱させる離脱操作をケース５外から行わせる構成となっている。
［ランダム・カード・ホルダの動作］
本実施例のランダム・カード・ホルダ１は、図２のように、例えば、複数のカードＣから一つをランダムに取り出し、取り出されたカードＣのパラメータによって対戦するカード・ゲーム等に用いられる。
【００５２】
ランダム・カード・ホルダ１を用いる際は、予め複数のホルダ部３にカードＣをそれぞれ保持させ、カードＣを保持したホルダ部３をケース５内に収納しておく。ホルダ部３の収納は、ホルダ部３を回転させてケース５内に押し込むことによって行わせることができる。
【００５３】
この際、図４のように、係合部材４３の係合爪５３がホルダ収納部２３内に突出しているが、係合爪５３のテーパ面８３にホルダ部３が突き当たることで係合爪５３を付勢部５９の付勢力に抗して離脱方向に退避させ、円滑にホルダ部３を押し込むことができる。押し込みが完了すると、係合爪５３が付勢部５９の付勢力によって復帰してホルダ部３の切欠部１９に係合する。これにより、ホルダ部３は、ケース５側に係合してホルダ収納部２３への収納状態が保持されることになる。
【００５４】
カードＣをランダムに取り出す際は、まずユーザーがケース５を片手で把持する等して振る。振り方は、特に限定されないが、ケース５を長手方向又は幅方向に振り、或はそれらの振りを複合的に行うのが好ましい。
【００５５】
ケース５が振られている間、ケース５内では、揺動部材７１が揺動することになる。この揺動により、揺動部材７１が駆動ギヤ７３、従動ギヤ６９を介して回転部材５７を回転駆動する。そして、ケース５の振りを止めると、それに応じて揺動部材７１の揺動も止まって回転部材５７の回転駆動が終了する。この終了時点で、回転部材５７は、ランダムな回転位置で回転が停止される。
【００５６】
このとき、回転部材５７上の複数の連動片６１は、回転部材５７の回転位置に応じて、一つが対応する係合部材４３に対する連動位置に配置されることになる。例えば、図５では、厚み方向中央の連動片６１が対応する中央の係合部材４３の被連動部５５に対向して連動位置に配置されている。
【００５７】
こうして、一つの連動片６１が対応する係合部材４３の連動位置に配置されることで、ランダムに取り出されるホルダ部３（カードＣ）が選択されることになる。
【００５８】
この状態で解除操作部材４７を押し込み操作すると、ハウジング６７を介して回転部材５７が押し込み移動して、連動位置の連動片６１が対応する係合部材４３の被連動部５５を離脱方向に押圧する。これにより、係合部材４３は、付勢部５９の付勢力に抗して離脱方向に揺動し、係合爪５３が対応するホルダ部３の切欠部１９から離脱する。結果、ホルダ部３は、ケース５側への係合が離脱され、ケース５に対して回転自在なフリー状態になる。
【００５９】
フリー状態となったホルダ部３は、その回転方向においてユーザーがケース５を振ること等により、ケース５から回転して突出する。ホルダ部３がケース５から突出すると、それに保持されるカードＣもケース５から突出することになる。こうして、ランダム・カード・ホルダ１では、複数のカードＣの中から一つをランダムにケース５から取り出すことができる。
【００６０】
かかるランダムなカードＣの取り出しは、短時間で手軽に遊べるカード・ゲームに供することができる。例えば、ランダム・カード・ホルダ１を保持するユーザー同士が、ランダムに取り出されたカードＣを見せ合う等して、短時間で手軽に勝敗を決めるもの等が考えられる。
【００６１】
その他、ランダムなカードＣの取り出しは、占いやくじ引き、或はそれらの要素を含むもの等に広く供することができる。例えば、くじ引きの要素を含むものとしては、料理レシピをカードＣに記載しておき、ユーザーは、ランダムにカードＣを取り出すことにより、くじ引きの要領でその日の料理メニューを決定することができる。
［実施例１の効果］
本実施例のランダム・カード・ホルダ１は、カードＣをそれぞれ保持可能な複数のホルダ部３と、これら複数のホルダ部３を出没自在に収納支持するケース５と、複数のホルダ部３をそれぞれ離脱可能にケース側に係合させ、それらホルダ部３のケース５への収納状態を保持する複数の係合部材４３と、ケース５を振ることによって変位し複数の係合部材４３の少なくとも一つに対する連動位置に配置される連動片６１と、連動片６１を介して対応する係合部材４３に連動連結され、その係合部材４３に対しホルダ部３のケース５側への係合を離脱させる離脱操作をケース５外から行わせる解除操作部材４７とを備える。
【００６２】
従って、本実施例のランダム・カード・ホルダ１は、ケース５を振るだけで複数のホルダ部３からランダムに一つのホルダ部３が選択され、その後の解除操作部材４７による離脱操作によって選択されたホルダ部３のケース５側に対する係合を離脱させることができる。
【００６３】
この結果、係合が離脱したホルダ部３をケース５から突出させて、ホルダ部３に保持されているカードＣをケース５から取り出すことが可能となる。
【００６４】
このように、本実施例では、容易且つ確実に、ケース５内に収納した複数のカードＣの中からランダムにカードＣを選択して取り出すことができる。
【００６５】
また、本実施例のランダム・カード・ホルダ１は、複数の係合部材４３をホルダ部３に対する係合方向に付勢する付勢部５９を備え、解除操作部材４７が離脱操作に応じて係合部材４３を付勢部５９の付勢力に抗して離脱方向に押圧する。
【００６６】
従って、本実施例では、ケース５内へのホルダ部３の収納保持を付勢部５９の付勢力によって確実に行うことができると共に、ホルダ部３のケース５側に対する係合を容易に離脱させてカードＣを取り出すことができる。
【００６７】
また、本実施例のランダム・カード・ホルダ１は、ケース５を振ることによって回転する回転部材５７を備えている。連動片６１は、複数の係合部材４３に対応して回転部材５７上に複数設けられ、回転部材５７の回転位置に応じて一つが対応する係合部材４３に対して連動位置に配置される。
【００６８】
従って、本実施例では、簡単な構成で、ケース５を振ることによるホルダ部３の選択を実現することができる。
【００６９】
また、本実施例では、ケース５内に揺動自在に支持されケース５を振ることによって揺動する揺動部材７１を備え、回転部材５７が揺動部材７１の揺動によって回転駆動される。
【００７０】
従って、本実施例では、ケース５の振りに応じた揺動部材７１の揺動を通じ、回転部材を確実に回転させることができ、動作の確実性を向上できる。
【００７１】
また、本実施例では、ケース５に対し複数のホルダ部３を回転自在に支持して出没自在とする回転軸１５を備えたため、ホルダ部３の回転方向にケース５を振ることで、ケース５側に対する係合が離脱したホルダ部３をケース５から迅速かつ容易に突出させることができる。
【実施例２】
【００７２】
図７は、ランダム・カード・ホルダの全体構成を示す斜視図、図８は、図７の要部拡大斜視図、図９は、図７のランダム・カード・ホルダの正面図、図１０は、図７のランダム・カード・ホルダの側面図、図１１は、図１０のＸＩ−ＸＩ線に係る断面図、図１２は、図１０のＸＩＩ−ＸＩＩ線に係る断面図である。なお、本実施例は、基本構成が上記実施例１と共通するため、対応する構成部分に同符号又は同符号にＡを付加したものを用いて重複した説明を省略する。
【００７３】
本実施例のランダム・カード・ホルダ１Ａは、図７〜図１２のように、複数のホルダ部３をケース５Ａに対して取り外し可能としたものである。
【００７４】
すなわち、本実施例では、ケース５Ａに着脱自在に取り付けられ、回転軸１５Ａを有するアタッチメント８５を備えている。
【００７５】
アタッチメント８５は、ケース５Ａの厚み方向で対向する嵌合壁部８７ａ，８７ｂを、回転軸１５Ａ及び係止壁８９によって結合して形成されている。アタッチメント８５は、ケース５Ａの長手方向の一側に嵌合して固定される。
【００７６】
嵌合壁部８７ａ，８７ｂは、ケース５Ａの長手方向での一側縁部に沿って延設されると共に内側に突出するフランジ部９１を有する。このフランジ部９１は、ケース５Ａの長手方向の一側端部に突き当てられている。
【００７７】
回転軸１５Ａは、ケース５Ａ側に設けられた溝部９３内に係合している。溝部９３は、ケース５Ａの長手方向の一側縁部で開口し、湾曲しつつ幅方向の一側へ向けて延設されている。
【００７８】
また、係止壁８９は、板状に構成され、ケース５Ａの長手方向に貫通する係止穴９５を有している。係止穴９５には、ケース５Ａ側から延びる係止爪９７が離脱可能に係合している。係止壁部８９には、突起部９０が設けられ、ホルダ部３の溝部９２が係合する。これにより、収納状態のホルダ部３が安定的に支持される。
【００７９】
このため、アタッチメント８５は、回転軸１５Ａの溝部９３への係合と係止穴９５の係止爪９７への係合によって、ケース５Ａに対して着脱自在に係止されている。
【００８０】
アタッチメント８５には、複数のホルダ部３が回転軸１５Ａを介して支持され、これらホルダ部３は、アタッチメント８５によってケース５Ａに対して着脱自在なホルダ・ユニット９９を構成する。
【００８１】
ホルダ・ユニット９９をケース５Ａに取り付ける際には、まず、アタッチメント８５の回転軸１５Ａをケース５Ａの溝部９３内へ挿入して係合させる。この状態で、回転軸１５Ａを中心にアタッチメント８５を回転させるようにして係止穴９５に係止爪９７を係合させる。なお、この係合は、係止爪９７が弾性変形することで行われる。
【００８２】
かかる本実施例のランダム・カード・ホルダ１Ａは、複数のホルダ部３をケース５Ａから取り外すことができるため、取り外した状態でカードＣをホルダ部３に容易に保持させることができる。
【００８３】
また、予め複数のホルダ・ユニット９９を用意しておけば、ホルダ・ユニット９９を交換するだけで、ケース５Ａ内のカードＣを容易に変更することができる。
【００８４】
例えば、カード・ゲームの際の手持ちカードの交換や、カード・ゲームのカードから料理レシピ等の他の種類のカードへの交換等も極めて容易に行わせることができる。
【符号の説明】
【００８５】
１  ランダム・カード・ホルダ
３  ホルダ部
５  ケース
１５  回転軸
４３  係合部材（係合部）
４７  解除操作部材
５７  回転部材
５９  付勢部
６１  連動片
７１  揺動部材
８５  アタッチメント
９９  ホルダ・ユニット
【図１】
2015205460.tif 000003
【図２】
2015205460.tif 000004
【図３】
2015205460.tif 000005
【図４】
2015205460.tif 000006
【図５】
2015205460.tif 000007
【図６】
2015205460.tif 000008
【図７】
2015205460.tif 000009
【図８】
2015205460.tif 000010
【図９】
2015205460.tif 000011
【図１０】
2015205460.tif 000012
【図１１】
2015205460.tif 000013
【図１２】
2015205460.tif 000014